【手続補正書】
【提出日】平成26年10月22日(2014.10.22)
【手続補正１】
【補正対象書類名】特許請求の範囲
【補正対象項目名】全文
【補正方法】変更
【補正の内容】
【特許請求の範囲】
【請求項１】
所定のリスニング位置における正中面から左または右に外れた仮想の音源と前記リスニング位置において前記仮想の音源から遠い方の第１の耳との間の第１の頭部音響伝達関数を音響信号に重畳した第１のバイノーラル信号を生成する第１のバイノーラル化処理部と、
前記仮想の音源と前記リスニング位置において前記仮想の音源に近い方の第２の耳との間の第２の頭部音響伝達関数を前記音響信号に重畳した信号の成分のうち、前記第１の頭部音響伝達関数の振幅が所定の深さ以上となる負のピークが所定の周波数以上において現れる帯域のうち最も低い第１の帯域および２番目に低い第２の帯域の成分を減衰させた第２のバイノーラル信号を生成する第２のバイノーラル化処理部と、
前記第１のバイノーラル信号および前記第２のバイノーラル信号に対して、前記リスニング位置に対して左右対称に配置されたスピーカのうち前記第１の耳に近い方の第１のスピーカと前記第１の耳との間の音響伝達特性、前記第２の耳に近い方の第２のスピーカと前記第２の耳との間の音響伝達特性、前記第１のスピーカから前記第２の耳へのクロストーク、および、前記第２のスピーカから前記第１の耳へのクロストークをキャンセルするクロストーク補正処理を行うクロストーク補正処理部と
を含む音響信号処理装置。
【請求項２】
前記第１のバイノーラル化処理部は、前記第１のバイノーラル信号の成分のうち前記第１の帯域および前記第２の帯域の成分を減衰させた第３のバイノーラル信号を生成し、
前記クロストーク補正処理部は、前記第２のバイノーラル信号および前記第３のバイノーラル信号に対して前記クロストーク補正処理を行う
請求項１に記載の音響信号処理装置。
【請求項３】
前記所定の周波数は、前記第１の頭部音響伝達関数の４ｋＨｚ近傍において正のピークが現れる周波数である
請求項１または２に記載の音響信号処理装置。
【請求項４】
所定のリスニング位置における正中面から左または右に外れた仮想の音源と前記リスニング位置において前記仮想の音源から遠い方の第１の耳との間の第１の頭部音響伝達関数を音響信号に重畳した第１のバイノーラル信号を生成し、
前記仮想の音源と前記リスニング位置において前記仮想の音源に近い方の第２の耳との間の第２の頭部音響伝達関数を前記音響信号に重畳した信号の成分のうち、前記第１の頭部音響伝達関数の振幅が所定の深さ以上となる負のピークが所定の周波数以上において現れる帯域のうち最も低い第１の帯域および２番目に低い第２の帯域の成分を減衰させた第２のバイノーラル信号を生成し、
前記第１のバイノーラル信号および前記第２のバイノーラル信号に対して、前記リスニング位置に対して左右対称に配置されたスピーカのうち前記第１の耳に近い方の第１のスピーカと前記第１の耳との間の音響伝達特性、前記第２の耳に近い方の第２のスピーカと前記第２の耳との間の音響伝達特性、前記第１のスピーカから前記第２の耳へのクロストーク、および、前記第２のスピーカから前記第１の耳へのクロストークをキャンセルするクロストーク補正処理を行う
ステップを含む音響信号処理方法。
【請求項５】
所定のリスニング位置における正中面から左または右に外れた仮想の音源と前記リスニング位置において前記仮想の音源から遠い方の第１の耳との間の第１の頭部音響伝達関数を音響信号に重畳した第１のバイノーラル信号を生成し、
前記仮想の音源と前記リスニング位置において前記仮想の音源に近い方の第２の耳との間の第２の頭部音響伝達関数を前記音響信号に重畳した信号の成分のうち、前記第１の頭部音響伝達関数の振幅が所定の深さ以上となる負のピークが所定の周波数以上において現れる帯域のうち最も低い第１の帯域および２番目に低い第２の帯域の成分を減衰させた第２のバイノーラル信号を生成し、
前記第１のバイノーラル信号および前記第２のバイノーラル信号に対して、前記リスニング位置に対して左右対称に配置されたスピーカのうち前記第１の耳に近い方の第１のスピーカと前記第１の耳との間の音響伝達特性、前記第２の耳に近い方の第２のスピーカと前記第２の耳との間の音響伝達特性、前記第１のスピーカから前記第２の耳へのクロストーク、および、前記第２のスピーカから前記第１の耳へのクロストークをキャンセルするクロストーク補正処理を行う
ステップを含む処理をコンピュータに実行させるためのプログラム。
【請求項６】
請求項５に記載のプログラムを記録したコンピュータ読み取り可能な記録媒体。
【請求項７】
第１の音響信号の成分のうち、所定のリスニング位置における正中面から左または右に外れた仮想の音源と前記リスニング位置において前記仮想の音源から遠い方の第１の耳との間の第１の頭部音響伝達関数の振幅が所定の深さ以上となる負のピークが所定の周波数以上において現れる帯域のうち最も低い第１の帯域および２番目に低い第２の帯域の成分を減衰させた第２の音響信号を生成する減衰部と、
前記第１の頭部音響伝達関数を前記第２の音響信号に重畳した第１のバイノーラル信号、および、前記仮想の音源と前記リスニング位置において前記仮想の音源に近い方の第２の耳との間の第２の頭部音響伝達関数を前記第２の音響信号に重畳した第２のバイノーラル信号を生成する処理、並びに、前記第１のバイノーラル信号および前記第２のバイノーラル信号に対して、前記リスニング位置に対して左右対称に配置されたスピーカのうち前記第１の耳に近い方の第１のスピーカと前記第１の耳との間の音響伝達特性、前記第２の耳に近い方の第２のスピーカと前記第２の耳との間の音響伝達特性、前記第１のスピーカから前記第２の耳へのクロストーク、および、前記第２のスピーカから前記第１の耳へのクロストークをキャンセルする処理を一体化して行う信号処理部と
を含む音響信号処理装置。
【請求項８】
前記所定の周波数は、前記第１の頭部音響伝達関数の４ｋＨｚ近傍において正のピークが現れる周波数である
請求項７に記載の音響信号処理装置。
【請求項９】
前記減衰部は、IIR（無限インパルス応答）フィルタにより構成され、
前記信号処理部は、FIR（有限インパルス応答）フィルタにより構成される
請求項７または８に記載の音響信号処理装置。
【請求項１０】
第１の音響信号の成分のうち、所定のリスニング位置における正中面から左または右に外れた仮想の音源と前記リスニング位置において前記仮想の音源から遠い方の第１の耳との間の第１の頭部音響伝達関数の振幅が所定の深さ以上となる負のピークが所定の周波数以上において現れる帯域のうち最も低い第１の帯域および２番目に低い第２の帯域の成分を減衰させた第２の音響信号を生成し、
前記第１の頭部音響伝達関数を前記第２の音響信号に重畳した第１のバイノーラル信号、および、前記仮想の音源と前記リスニング位置において前記仮想の音源に近い方の第２の耳との間の第２の頭部音響伝達関数を前記第２の音響信号に重畳した第２のバイノーラル信号を生成する処理、並びに、前記第１のバイノーラル信号および前記第２のバイノーラル信号に対して、前記リスニング位置に対して左右対称に配置されたスピーカのうち前記第１の耳に近い方の第１のスピーカと前記第１の耳との間の音響伝達特性、前記第２の耳に近い方の第２のスピーカと前記第２の耳との間の音響伝達特性、前記第１のスピーカから前記第２の耳へのクロストーク、および、前記第２のスピーカから前記第１の耳へのクロストークをキャンセルする処理を一体化して行う
ステップを含む音響信号処理方法。
【請求項１１】
第１の音響信号の成分のうち、所定のリスニング位置における正中面から左または右に外れた仮想の音源と前記リスニング位置において前記仮想の音源から遠い方の第１の耳との間の第１の頭部音響伝達関数の振幅が所定の深さ以上となる負のピークが所定の周波数以上において現れる帯域のうち最も低い第１の帯域および２番目に低い第２の帯域の成分を減衰させた第２の音響信号を生成し、
前記第１の頭部音響伝達関数を前記第２の音響信号に重畳した第１のバイノーラル信号、および、前記仮想の音源と前記リスニング位置において前記仮想の音源に近い方の第２の耳との間の第２の頭部音響伝達関数を前記第２の音響信号に重畳した第２のバイノーラル信号を生成する処理、並びに、前記第１のバイノーラル信号および前記第２のバイノーラル信号に対して、前記リスニング位置に対して左右対称に配置されたスピーカのうち前記第１の耳に近い方の第１のスピーカと前記第１の耳との間の音響伝達特性、前記第２の耳に近い方の第２のスピーカと前記第２の耳との間の音響伝達特性、前記第１のスピーカから前記第２の耳へのクロストーク、および、前記第２のスピーカから前記第１の耳へのクロストークをキャンセルする処理を一体化して行う
ステップを含む処理をコンピュータに実行させるためのプログラム。
【請求項１２】
請求項１１に記載のプログラムを記録したコンピュータ読み取り可能な記録媒体。